(57)【特許請求の範囲】
【請求項１】
ホースの一端が接続される筒状部材の内壁に沿って摺動する摺動部材と、この摺動部材に一端が連結され、筒状部材の内部に形成された弁座部に対して上流側から当接することが可能な弁体部を有する安全弁と、上流側にある弁座に対して下流側から当接することが可能な弁体とが下流側からこの順に設けられ、さらに、前記安全弁を下流側へ付勢し、かつ前記弁体を上流側へ付勢する弾性体が設けられており、
前記弁座が、上流側および下流側へスライド可能であり、かつ弾性部材により下流側に付勢されている水栓用継手であって、
前記安全弁は、前記弁体部の直上流側に筒部分を有し、この筒部分は、スリットを有するほぼ筒状の部材で構成されている一方、
前記弁体は、その外径が前記安全弁の前記筒部分の内径よりも小さいほぼ筒状の胴体部を有し、しかも、この胴体部の側面に、前記スリットに嵌め込み可能に形成された羽部を有するとともに、
前記スリットおよび羽部を介して互いに嵌め込まれた状態にある前記安全弁および弁体における前記筒部分および前記胴体部とによって形成される空間内に前記弾性体が設けられていることを特徴とする水栓用継手。
【請求項２】
前記安全弁は、下流側から順に、柱状部分と、前記弁体部と、前記筒部分とからなり、前記柱状部分は、下流側に小径部と鍔部を有しており、前記小径部は、前記摺動部材の連通孔に挿入され、抜け止め部材によって、前記連通孔から抜けることが防止されており、また、前記筒部分は、外面に前記スリットを複数有しており、各スリットの上流端には、内側に突出した突出部が形成されている一方、
前記弁体は、前記胴体部と、複数の前記羽部とからなり、また、上流端部の内径は、さらに小さくなるように形成されているとともに、前記各羽部には、縦断面が、上流側に比べて下流側が細くなる段差が設けられている請求項１に記載の水栓用継手。
【発明の詳細な説明】
【０００１】
【発明の属する技術分野】
本発明は、たとえば洗濯機などに用いられる水栓用継手に関する。
【０００２】
【従来の技術】
たとえば洗濯機にホースを介して水を送るために、前記ホースが接続される水栓は、洗濯機の使用時において、吐水および止水を調整するための弁が開かれた状態で使用されることが多く、このような場合には、洗濯機で使用する水量の調整を、洗濯機側の切り換えスイッチなどで行っている。そのため、子供などが前記水栓から前記ホースを外してしまうと、その水栓の吐出口から大量の水が吐出され、階下への水漏れ事故などが生じる危険がある。そこで、上記のような事故などを未然に防ぐために、接続されたホースが外されると、自動的に水の吐出を停止する機能を有する水栓用継手が考案されている。
【０００３】
【発明が解決しようとする課題】
しかし、上記のような従来の水栓用継手では、水の逆流を防止することができず、また、洗濯機などの下流側において急に水の吐出を停止すると、その反動が水栓内に伝達され、大きな水撃音が生じるという問題があった。
【０００４】
本発明は上述の事柄に留意してなされたもので、その目的は、ホースの接続が解除されると水の吐出を停止する機能を有するとともに、水の逆流を防止し、かつ水撃音を低減することが可能な水栓用継手を提供することである。
【０００５】
【課題を解決するための手段】
上記目的を達成するために、本発明の水栓用継手は、ホースの一端が接続される筒状部材の内壁に沿って摺動する摺動部材と、この摺動部材に一端が連結され、筒状部材の内部に形成された弁座部に対して上流側から当接することが可能な弁体部を有する安全弁と、上流側にある弁座に対して下流側から当接することが可能な弁体とが下流側からこの順に設けられ、さらに、前記安全弁を下流側へ付勢し、かつ前記弁体を上流側へ付勢する弾性体が設けられており、
前記弁座が、上流側および下流側へスライド可能であり、かつ弾性部材により下流側に付勢されている水栓用継手であって、
前記安全弁は、前記弁体部の直上流側に筒部分を有し、この筒部分は、スリットを有するほぼ筒状の部材で構成されている一方、
前記弁体は、その外径が前記安全弁の前記筒部分の内径よりも小さいほぼ筒状の胴体部を有し、しかも、この胴体部の側面に、前記スリットに嵌め込み可能に形成された羽部を有するとともに、
前記スリットおよび羽部を介して互いに嵌め込まれた状態にある前記安全弁および弁体における前記筒部分および前記胴体部とによって形成される空間内に前記弾性体が設けられている（請求項１）。
【０００６】
また、前記安全弁は、下流側から順に、柱状部分と、前記弁体部と、前記筒部分とからなり、前記柱状部分は、下流側に小径部と鍔部を有しており、前記小径部は、前記摺動部材の連通孔に挿入され、抜け止め部材によって、前記連通孔から抜けることが防止されており、また、前記筒部分は、外面に前記スリットを複数有しており、各スリットの上流端には、内側に突出した突出部が形成されている一方、
前記弁体は、前記胴体部と、複数の前記羽部とからなり、また、上流端部の内径は、さらに小さくなるように形成されているとともに、前記各羽部には、縦断面が、上流側に比べて下流側が細くなる段差が設けられているとしてもよい（請求項２）。
【０００７】
上記の構成により、ホースの接続が解除されると水の吐出を停止する機能を有するとともに、水の逆流を防止し、かつ水撃音を低減することが可能な水栓用継手を提供することができる。
【０００８】
【発明の実施の形態】
以下、この発明の実施例を、図を参照しながら説明する。
図１は、本発明の第一実施例に係る水栓用継手Ｄの構成を概略的に示す斜視図である。  一端が洗濯機Ｗに接続される洗濯機用ホースＨの他端が連結される水栓用継手Ｄは、水栓Ｓに一体的に接続されている。そして、前記水栓Ｓは、レバーＬを有しており、このレバーＬを回動操作することによって、水栓用継手Ｄを経て前記洗濯機用ホースＨへ送出される水の流量を調整することができる。また、前記洗濯機Ｗの使用時には、レバーＬは開状態となっている。なお、前記レバーＬを、ハンドルなどとしてもよい。
【０００９】
図２は、洗濯機用ホースＨが接続されている状態の水栓用継手Ｄを有する水栓Ｓの構成を概略的に示す縦断面図である。
前記水栓Ｓは、前記レバーＬと連動し、下流側へ送る水の流量調整を行う流量調整部１と流出口６とを備え、流出口６には、流量調整部１から送られてきた水を洗濯機用ホースＨに導出するための水栓用継手Ｄが接続されている。
【００１０】
前記流出口６は、外径が後述する胴体部５の外径とほぼ同じ大きさである大径部１７と、この大径部１７の下流側に連設される中径部１８と、この中径部１８の下流側に連設される小径部１９とからなる。
【００１１】
前記水栓用継手Ｄは、前記洗濯機用ホースＨが接続される筒状部材４と、この筒状部材４の上流側に位置し、筒状部材４が連結される胴体部５と、内部の弁機構３とからなる。
【００１２】
前記筒状部材４は、下流側から順に、小径部分７と、この小径部分７よりも径が大きい鍔部分８と、前記小径部分７より径が大きく鍔部分８よりも径が小さい大径部分９とから形成されている。また、前記小径部分７は、下流側から順に、先端部１０と、この先端部１０よりも内径が若干大きい中央部１１と、前記先端部１０よりも内径が小さい段差部１２とからなり、また、小径部分７の段差部１２から前記鍔部分８にかけて、下流側ほど径が小さくなるテーパ面状に形成された弁座部１３が設けられている。
【００１３】
前記胴体部５は、外径がほぼ一定である筒状の部材であり、下流部１４と、この下流部１４の上流側に設けられ、下流部１４よりも内径が小さい上流部１５とからなる。また、前記下流部１４と上流部１５との間には、上流部１５よりも内径が小さい突起部１６が設けられている。
【００１４】
図３は、前記弁機構３の構成を概略的に示す分解斜視図であり、図４は、弁機構３の構成を概略的に示す正面図である。以下に弁機構３の構成を図２〜４を用いて説明する。
前記弁機構３は、下流側から順に、前記筒状部材４の小径部分７の先端部１０および中央部１１の内壁に沿って摺動する摺動部材２０と、この摺動部材２０に一端が連結され、筒状部材４の内部に形成された弁座部１３に対して上流側から当接することが可能な弁体部２１を有する安全弁２２と、上流側にある弁座２３に対して下流側から当接することが可能な弁体２４とが下流側からこの順に設けられたものであり、さらに、前記安全弁２２を下流側へ付勢し、かつ前記弁体２４を上流側へ付勢する弾性体であるバネ２５が設けられている。
【００１５】
前記摺動部材２０は、外面の下流端部にフランジ２６を有し、上流側にほぼ三叉形状の接続部材２７を有している筒状のものである。また、前記接続部材２７は、中央に連通孔２８を有している。このような構成からなる摺動部材２０は、前記筒状部材４の小径部分７の内側に沿って摺動する。
【００１６】
前記安全弁２２は、下流側から順に、柱状部分２９と、弁体部２１と、筒部分３０とからなる。前記柱状部分２９は、下流側に小径部３１と鍔部３２を有しており、前記小径部３１は、前記摺動部材２０の連通孔２８に挿入され、図２に示すような抜け止め部材３３によって、連通孔２８から抜けることが防止される。また、前記筒部分３０は、外面にスリット３４を四つ有したほぼ筒状の部材であり、各スリット３４の上流端には、内側に突出した突出部３５が形成されている。なお、３６は、シール部材である。
【００１７】
前記弁体２４は、ほぼ筒状の胴体部３７と、この胴体部３７の側面に形成された四つの羽部３８、３８、３８、３８とからなる。前記胴体部３７の外径は、前記安全弁２２の筒部分の内径よりも若干小さくなっており、また、上流端部の内径は、さらに小さくなるように形成されている。そして、前記各羽部３８には、縦断面が、上流側に比べて下流側が細くなる段差３９が設けられている。なお、４０は、シール部材である。
【００１８】
上記の構成からなる安全弁２２と弁体２４は、各羽部３８が各スリット３４の間に位置するように互いに嵌め込まれる。そして、前記安全弁２２は、各スリット３４が弁体２４の各羽部３８によってガイドされながら、弁体２４に対して摺動し、また、弁体２４は、各羽部３８が安全弁２２の各スリット３４によってガイドされながら、安全弁２２に対して摺動するように構成されている。なお、各スリット３４に形成された突出部３５により、各羽部３８に形成された段差３９が突出部３５よりも上流側へ移動することが防止されるため、安全弁２２から弁体２４が抜けることがない。そして、このように互いに嵌め込まれた状態にある安全弁２２および弁体２４には、筒部分３０と胴体部３７とによって形成される空間内にバネ２５が入れられており、このバネ２５は、安全弁２２を下流側へ付勢するとともに、弁体２４を上流側へ付勢している。
【００１９】
前記弁座２３は、ほぼ環状の部材であり、内面の下流端部には、下流側ほど広くなるテーパ面が形成されている。この弁座２３は、前記胴体部５の上流部１５の内壁に沿って摺動可能であり、また、前記保持部６と弁座２３との間に設けられた弾性部材であるバネ４１によって、弁座２３は、常に下流側へ付勢されることになる。なお、４２は、シール部材である。
【００２０】
図５（Ａ）および（Ｂ）は、前記洗濯機用ホースＨの接続前の水栓用継手Ｄおよび接続後の水栓用継手Ｄの構成を概略的に示す要部拡大縦断面図である。
前記洗濯機用ホースＨの接続前の水栓用継手Ｄは、図５（Ａ）に示すように、バネ２５によって、安全弁２２および弁体２４が、それぞれ下流側および上流側へ付勢されており、弁体部２１は弁座部１３に当接し、弁体２４は弁座２３に当接した状態となっている。また、摺動部材２０は、その摺動可能範囲において、最も下流側の位置にある状態となっている。以下、上記のような状態を初期状態という。
【００２１】
前記洗濯機用ホースＨは、係止部材４３と、水栓用継手Ｄの筒状部材４に接続するための接続口４４とを有しており、また、前記接続口４４の下流端には、パッキン４５が設けられている。
【００２２】
初期状態にある水栓用継手Ｄに洗濯機用ホースＨを接続すると、図５（Ｂ）に示すように、前記係止部材４３が筒状部材４の鍔部分８に係止されるとともに、水栓用継手Ｄの摺動部材２０は、前記接続口４４のパッキン４５に押されて、その摺動可能範囲の最も上流側の位置に移動させられることになる。そして、この摺動部材２０の移動に伴い、前記安全弁２２も上流側へ移動し、弁座部１３に当接していた弁体部２１は、弁座部１３から離れることになる。以下、上記のような状態を接続状態という。
【００２３】
図６（Ａ）〜（Ｄ）は、水栓用継手Ｄにおける水の流れを説明するための説明図である。
前記接続状態にある水栓用継手Ｄに、水栓用継手Ｄの上流側から水を流した状態が、図６（Ａ）に示されている。すなわち、前記レバーＬを回動操作することによって、水栓用継手Ｄの上流側からの水が水栓用継手Ｄ内に送られ、この水の圧力により、前記弁座２３に当接した状態の前記弁体２４が下流側へ付勢され、弁体２４は、弁座２３から離れた状態になる。従って、水は、弁座２３と弁体２４の間、そして弁座部１３と弁体部２１の間を通って、洗濯機用ホースＨに導出されるようになる。以下、この状態を流通状態という。
【００２４】
上記のような流通状態にある水栓用継手Ｄにおいて、図６（Ｂ）に示すように、洗濯機用ホースＨの接続が解除されると、水栓用継手Ｄからの吐出が停止される。すなわち、摺動部材２０および安全弁２２を上流側に付勢していた洗濯機用ホースＨの接続が解除された状態になると、摺動部材２０および安全弁２２はバネ２５によって下流側への付勢を常に受けていることから、下流側へ移動し、離れていた弁体部２１と弁座部１３とが当接するようになり、弁体部２１と弁座部１３との間を、水が通れなくなるのである。従って、流通状態にある水栓用継手Ｄから、洗濯機用ホースＨを外しても、水栓用継手Ｄから水が漏れたり、吐出が続いたりすることがない。
【００２５】
また、流通状態にある水栓用継手Ｄにおいて、図６（Ｃ）に示すように、逆流が起こって、洗濯機用ホースＨの下流側から水栓用継手Ｄ内に逆流してきた水の圧力が、水栓用継手Ｄの上流側から送られてきた水の圧力よりも大きくなると、弁座２３から離れていた弁体２４が、弁座２３に当接するようになり、弁座２３と弁体２４との間を水が通れなくなるのである。このため、弁座２３の上流側にまで、逆流してきた水が進入することがない。
【００２６】
また、流通状態にある水栓用継手Ｄにおいて、図６（Ｄ）に示すように、洗濯機Ｗ側において急に水を止めた場合、その反動が洗濯機Ｗの上流側にある水栓用継手Ｄにまで伝達され、この伝達により、前記弁体２４が上流側へと急激に押されることになるが、前記弁座２３は、前記胴体部５の上流部１５の内壁に沿って摺動可能であり、かつバネ４１により常に下流側へ付勢されているだけなので、弁体２４が弁座２３に衝突しても、その衝撃をバネ４１によって吸収することができ、生じる水撃音の大きさなどを低減することが可能である。
【００２７】
以上説明したように、前記水栓用継手Ｄの内部に設けられた弁機構３により、ストップ機能、逆止機能、水撃音低減機能の三つの機能を得ることが可能となる。すなわち、前記ストップ機能とは、水栓用継手Ｄへの洗濯機用ホースＨの接続が維持されている状態では、水栓用継手Ｄから洗濯機用ホースＨへの水の送出が可能となるが、前記洗濯機用ホースＨの接続が解除された状態になると、水栓用継手Ｄから洗濯機用ホースＨへの水の送出が不可能となるものであり、前記逆止機能とは、前記洗濯機用ホースＨまたはその下流側から逆流してきた水が、前記胴体部５の上流部１５の上流側へと進入することを阻止するものであり、前記水撃低減機能とは、洗濯機Ｗ側で水の吐出を急に止めることによって水栓用継手Ｄ内に生じる水撃音を低減させるものである。
【００２８】
図７は、参考例の水栓用継手Ｄ2 の構成を概略的に示す縦断面図である。なお、上記第一実施例で示した部材と同一構造のものについては、同じ符号を付し、その説明を省略する。
水栓用継手Ｄ2 の構成および効果は、第一実施例のものとほとんど同じであるが、相違点は、水栓用継手Ｄが水栓Ｓに一体的に接続されていたのに対し、水栓用継手Ｄ2 は水栓Ｓに対して容易に着脱できるように設けられており、また、水栓用継手Ｄ2 の弁座２３’は、前記弁座２３のように、胴体部５の内壁に沿って摺動し、かつバネ４１によって下流側へ付勢されているのではなく、適宜の位置に固定されており、バネ４１などによる付勢を受けていない点である。
【００２９】
詳述すると、水栓用継手Ｄ2 は、筒状部材４と、この筒状部材４の上流側に位置し、筒状部材４が連結される胴体部５’とからなる。そして、前記胴体部５’の下流部１４は、前記胴体部５の下流部１４とほぼ同じ構成であるが、胴体部５’の上流部１５’は、内側に、弁体２４が当接する弁座２３’を有するとともに、水栓Ｓの雄ねじ部４７に接続するための雌ねじ部４６を有している。
【００３０】
上記の構成からなる水栓用継手Ｄ2 は、第一実施例の水栓用継手Ｄが有していた三つの機能の内、ストップ機能および逆止機能の二つを有することになる。
【００３１】
【００３２】
【００３３】
【発明の効果】
本発明を、上記のように構成したことから、ホースの接続が解除されると水の吐出を停止する機能を有するとともに、水の逆流を防止し、かつ水撃音を低減することが可能な水栓用継手を提供することが可能となる。
【図面の簡単な説明】
【図１】  本発明の一実施例に係る水栓用継手の構成を概略的に示す斜視図である。
【図２】  前記水栓用継手を有する水栓の構成を概略的に示す縦断面図である。
【図３】  弁機構の構成を概略的に示す分解斜視図である。
【図４】  弁機構の構成を概略的に示す正面図である。
【図５】  （Ａ）および（Ｂ）は、洗濯機用ホースの接続前の水栓用継手および接続後の水栓用継手の構成を概略的に示す要部拡大縦断面図である。
【図６】  （Ａ）〜（Ｄ）は、水栓用継手における水の流れを説明するための説明図である。
【図７】  参考例の水栓用継手の構成を概略的に示す縦断面図である。
【符号の説明】
４…筒状部材、１３…弁座部、２０…摺動部材、２１…弁体部、２２…安全弁、２３…弁座、２４…弁体、２５…弾性体、Ｄ…水栓用継手、Ｈ…ホース。
【図１】
0004388170.tif 000002
【図２】
0004388170.tif 000003
【図３】
0004388170.tif 000004
【図４】
0004388170.tif 000005
【図５】
0004388170.tif 000006
【図６】
0004388170.tif 000007
【図７】
0004388170.tif 000008